(57)【特許請求の範囲】
【請求項１】
大きめに形成された底壁(3)と周壁(4)を備える椀状の第１部材(1)と、該第１部材に嵌脱自在に嵌入されるように小さめに形成された底壁(9)と周壁(10)を備える椀状の第２部材(2)とから成り、
前記第１部材(1)は、底壁(3)にベース図柄(B)の輪郭を表すベース窓孔(7)を開設することにより第１テンプレート(8)を構成し、
前記第２部材(2)は、底壁(9)に詳細図柄(D)の輪郭を表す詳細窓孔(13)を開設することにより第２テンプレート(14)を構成し、
第１部材(1)の周壁(4)に第２部材(2)の周壁(10)を嵌入したとき、第１テンプレート(8)の上に第２テンプレート(14)が重ね合わせられ、重ね合わせた状態で詳細窓孔(13)がベース窓孔(7)の所定位置に臨むように構成されて成ることを特徴とする粉粒食品ふりかけ用テンプレート装置。
【請求項２】
第１テンプレート(8)の底面に多数の凹凸(16)を形成して成ることを特徴とする請求項１に記載の粉粒食品ふりかけ用テンプレート装置。
【請求項３】
第１部材(1)の周壁(4)の外側にヘラ部材(17)を着脱自在に取付けて成ることを特徴とする請求項１又は２に記載の粉粒食品ふりかけ用テンプレート装置。
【請求項４】
第１部材(1)及び第２部材(2)のそれぞれの周壁(4)(10)の上縁に外向きフランジ(6)(12)を設け、第１部材(1)に第２部材(2)を内嵌した状態で、第１部材(1)のフランジ(6)の上に第２部材(2)のフランジ(12)が重なるように構成されており、
第１部材(1)のフランジ(6)を部分的に切欠することにより、第２部材(2)のフランジ(12)の下側に指掛け空間(20)を形成して成ることを特徴とする請求項１、２又は３に記載の粉粒食品ふりかけ用テンプレート装置。
【発明の詳細な説明】
【技術分野】
【０００１】
本発明は、米飯等の食品の表面に粉粒食品をふりかける際に、好適な図柄を描くことができるようにした粉粒食品ふりかけ用テンプレート装置に関する。
【背景技術】
【０００２】
従来、児童等を喜ばせるために、米飯等の対象食品の表面に粉粒食品をふりかけることが行われており、その際、ふりかけられた粉粒食品により所望の図柄を描くようにしたテンプレートが提供されている。
【０００３】
テンプレートは、所望の図柄の輪郭を表す窓孔を開設しているので、対象食品の表面にテンプレートを載せた状態で、該テンプレートの上から粉粒食品をふりかけると、窓孔を通過した粉粒食品が対象食品の表面に付着する。従って、テンプレートを取り除くと、対象食品の表面に付着した粉粒食品が所望の図柄を描くことになる。
【０００４】
【特許文献１】特開平８−２３９０３号公報
【発明の開示】
【発明が解決しようとする課題】
【０００５】
従来技術の場合、１枚のテンプレートにより所望の図柄を描くことができるが、その図柄の上に更に詳細な図柄を描くことができない。例えば、図柄を自動車とした場合、粉粒食品により自動車の輪郭を表すベタ塗り状のベース図柄を形成することができるが、その自動車のホイールやウインドウ等の詳細な図柄を表すことができない。
【０００６】
そこで、更にホイールやウインドウ等の詳細図柄を表す窓孔を開設した別の追加テンプレートを準備し、最初にテンプレートを用いて粉粒食品をふりかけることにより形成した自動車等のベース図柄の上に追加テンプレートを重ね合わせ、再び色彩の異なる粉粒食品をふりかければ、ホイールやウインドウ等の詳細図柄を表すことが可能になる。しかしながら、先に形成したベース図柄の上に重ねて詳細図柄を形成する際、その正確な位置合わせが困難であり、失敗する確率が高い。
【０００７】
また、単なる板状のテンプレートを使用するときは、ふりかけた粒状食品がテンプレートの周囲に飛散し、飛散した粒状食品が対象食品の表面に付着するという問題がある。
【０００８】
そして、前述のような２枚のテンプレートを使用する場合、最初のテンプレートにより形成した粉粒食品のベース図柄の上に、追加のテンプレートにより形成される粉粒食品の詳細図柄が重ねられるため、例えば、粒子の粗い粉粒食品の場合、詳細図柄の輪郭が崩れ易いという問題がある。
【課題を解決するための手段】
【００１０】
本発明は、上記課題を解決した粉粒食品ふりかけ用テンプレート装置を提供するものであり、その手段として構成したところは、大きめに形成された底壁と周壁を備える椀状の第１部材と、該第１部材に嵌脱自在に嵌入されるように小さめに形成された底壁と周壁を備える椀状の第２部材とから成り、前記第１部材は、底壁にベース図柄の輪郭を表すベース窓孔を開設することにより第１テンプレートを構成し、前記第２部材は、底壁に詳細図柄の輪郭を表す詳細窓孔を開設することにより第２テンプレートを構成し、第１部材の周壁に第２部材の周壁を嵌入したとき、第１テンプレートの上に第２テンプレートが重ね合わせられ、重ね合わせた状態で詳細窓孔がベース窓孔の所定位置に臨むように構成されて成る点にある。
【００１１】
本発明の好ましい実施形態において、第１テンプレートの底面には多数の凹凸が形成されている。また、第１部材の周壁の外側にはヘラ部材が着脱自在に取付けられている。
【００１２】
第１部材及び第２部材は、好ましくは、それぞれの周壁の上縁に外向きフランジを設け、第１部材に第２部材を内嵌した状態で、第１部材のフランジの上に第２部材のフランジが重なるように構成されており、第１部材のフランジを部分的に切欠することにより、第２部材のフランジの下側に指掛け空間を形成している。
【発明の効果】
【００１４】
本発明によれば、対象食品Ｆの表面に載置した第１テンプレート８に粉粒食品Ｇ１をふりかけることによりベース図柄Ｂを形成した後、第１テンプレート８に重ね合わせた第２テンプレート１４に粉粒食品Ｇ２をふりかけることによりベース図柄Ｂの上に重ねて詳細図柄Ｄを形成することができ、しかも、ベース図柄Ｂと詳細図柄Ｄが相互に正確に位置合わせされた状態で形成されるという効果がある。特に、本発明によれば、椀状に形成した第１部材１の底壁３により第１テンプレート８を構成し、椀状に形成した第２部材２の底壁９により第２テンプレート１４を構成し、それぞれ椀状に形成した第１部材１の周壁４に第２部材２の周壁１０を嵌入する構成とされており、周壁４、１０により、位置決め手段１５ａ、１５ｂを構成するのみならず、粉粒食品Ｇ１、Ｇ２の飛散防止手段を構成することができるので、ふりかけの際に周囲に飛散した粉粒食品Ｇ１、Ｇ２が対象食品Ｆに付着するようなことがなく、形成後の図柄の美観を損なわないという効果がある。
【００１５】
この際、請求項２に記載の本発明によれば、第１テンプレート８の底面に多数の凹凸１６を形成しているので、図柄Ｂ、Ｄを形成した後、テンプレート装置を対象食品Ｆから持ち上げ離隔させる際に、対象食品Ｆが米飯の場合でも、米粒が付着し難く、第１テンプレート８を容易に持ち上げることができる。
【００１６】
また、請求項３に記載の本発明によれば、ヘラ部材１７を使用することにより、第１部材１及び第２部材２の底壁３、９に残存した粉粒食品Ｇ１、Ｇ２を窓孔７、１３に集めて通過させることができ、しかも、図柄Ｂ、Ｄを押さえつけることにより分厚い図柄を形成することが可能になる。
【００１７】
更に、請求項４に記載の本発明によれば、第１部材１に第２部材２を嵌入した状態で、堅く勘合され分離し難い場合でも、フランジ６、１２を指先で離反させることにより、第１部材１と第２部材２を容易に分離することができる。この際、第１部材１のフランジ６に形成した切欠１９により第２部材２のフランジ１２の下側に指掛け空間２０が形成されているので、両フランジ６、１２が近接して重なる場合でも、指掛け空間２０に指先を挿入することにより第２部材２のフランジ１２を押し上げることが可能となる。
【発明を実施するための最良の形態】
【００１８】
以下図面に基づいて本発明の好ましい実施形態を詳述する。以下の説明において、「粉粒食品」とは、粉状又は粒状の食品の何れか一方又は両者を混合した食品を意味する。また、「椀状」とは、図示のような比較的深底とした形態の他、浅底とした皿状の形態を含む意味である。
【００１９】
図１及び図２に示すように、テンプレート装置は、それぞれ合成樹脂により成形された第１部材１と第２部材２とから構成されている。
【００２０】
第１部材１は、大きめに形成された底壁３と周壁４を備え、上部全体に開口５を有する椀状形態に形成され、周壁４の上縁に外向きフランジ６を形成しており、底壁３にベース図柄Ｂの輪郭を表すベース窓孔７を開設することにより第１テンプレート８を構成する。
【００２１】
第２部材２は、小さめに形成された底壁９と周壁１０を備え、上部全体に開口１１を有する椀状形態に形成され、周壁１０の上縁に外向きフランジ１２を形成しており、底壁９に詳細図柄Ｄの輪郭を表す詳細窓孔１３を開設することにより第２テンプレート１４を構成する。
【００２２】
図例の場合、第１テンプレート８のベース窓孔７により形成されるベース図柄Ｂが自動車を表す全体図柄とされ、第２テンプレート１４の詳細窓孔１３により形成される詳細図柄Ｄが自動車のホイールやウインドウその他を表す図柄とされているが、これに限定されるものではなく、アニメのキャラクター、その他、種々の図柄を構成することが可能である。また、詳細窓孔１３は、複数の図柄を表すように複数設けるのが好ましいが、少なくとも１個以上であれば良い。
【００２３】
第２部材２は第１部材１に嵌脱自在に嵌入されるように構成されており、嵌入状態において、第１部材１の底壁３（第１テンプレート８）の上に第２部材２の底壁９（第２テンプレート１４が重ね合わせられる。この重ね合わせ状態において、詳細窓孔１３がベース窓孔７の所定位置に臨むように構成され、詳細窓孔１３とベース窓孔７が位置ずれしないように、嵌合された周壁４、１０が底壁３、９（第１テンプレート８及び第２テンプレート１４）を固定保持する位置決め手段１５ａ、１５ｂを構成する。
【００２４】
図１（Ｂ）に示すように、第１部材１の底壁３の底面には、多数の凹凸１６が形成されており、図例の場合、平行に配置された多数のリブ１６ａにより凹凸１６を形成しているが、多数の突起群により凹凸１６を形成しても良い。
【００２５】
第１部材１の周壁４の外側には板状のヘラ部材１７が着脱自在に取付けられている。ヘラ部材１７は、柄１７ａの先端に肉薄状のヘラ部１７ｂを設けたものとして合成樹脂により成形され、取付手段１８により周壁４に着脱自在に固着される。図３（Ａ）に示す図例の場合、取付手段１８は、周壁４の外側に突設した嵌着突起１８ａと、ヘラ部材１７の柄１７ａに形成した嵌着孔１８ｂとから構成され、相互に着脱自在に嵌着する構成としているが、これに限定されるものではない。
【００２６】
図１（Ａ）に示すように、第１部材１に第２部材２を嵌入すると、第１部材１のフランジ６の上に第２部材２のフランジ１２が近接して重なることになる。そこで、第１部材１のフランジ６は、部分的に切欠１９を形成しており、これにより第２部材２のフランジ１２の下側に指掛け空間２０を形成する。従って、相互に嵌合された第１部材１と第２部材２を分離する際には、指掛け空間２０に指先を挿入することにより第２部材２のフランジ１２を押し上げることが可能となる。
【００２７】
上記構成に基づくテンプレート装置を使用することにより、米飯等の対象食品Ｆの表面に粉粒食品Ｇによるふりかけ模様を形成するには、図５に示すように、第１部材１と第２部材２を分離した状態で、第１部材１の底壁３（第１テンプレート８）を対象食品Ｆの表面に載せ、該底壁３に所定の色彩の粉粒食品Ｇ１をふりかけると、ベース窓孔７を通過する粉粒食品Ｇ１により、対象食品Ｆの表面にベース図柄Ｂが形成される。この際、底壁３の上に残存した粉粒食品Ｇ１は、ヘラ部材１７を使用することにより、ベース窓孔７に移動させると共に、ベース図柄Ｂを対象食品Ｆの表面に陥没するように押さえつけることにより、分厚いベース図柄Ｂを形成することができる。尚、図５は、説明の便宜上、第１部材１を対象食品Ｆから離隔させた状態を示しているが、使用中、底壁３を対象食品Ｆの表面に載置し続けていると理解されたい。
【００２８】
ベース図柄Ｂを形成した後、次いで、図６に示すように、第１部材１に第２部材２を嵌入し、第２部材２の底壁９（第２テンプレート１４）に異なる色彩の粉粒食品Ｇ２をふりかけると、詳細窓孔１３を通過する粉粒食品Ｇ２により、ベース図柄Ｂの上に詳細図柄Ｄが形成される。この場合も、底壁９の上に残存した粉粒食品Ｇ２は、ヘラ部材１７を使用することにより、詳細窓孔１３に移動させると共に、詳細図柄Ｄをベース図柄Ｂの表面に陥没するように押さえつけることにより、分厚い詳細図柄Ｄを形成することができる。尚、図６は、説明の便宜上、テンプレート装置を対象食品Ｆから離隔させた状態を示しているが、ベース図柄Ｂを形成する際に第１部材１を対象食品Ｆの表面に載置した状態から、第１部材１を動かさないで第２部材２を嵌入し、そのままの状態で粉粒食品Ｇ２を振りかけることを理解されたい。
【００２９】
詳細図柄Ｄを形成した後は、テンプレート装置（相互に嵌合した第１部材１と第２部材２の全体）を対象食品Ｆから持ち上げ離隔させれば良い。この際、対象食品Ｆに接していた第１部材１の底壁３の底面には凹凸１６が設けられているので、対象食品Ｆが米飯の場合でも、米粒が付着し難く、底壁３を容易に持ち上げることができる。
【図面の簡単な説明】
【００３０】
【図１】本発明の１実施形態に関して第１部材に第２部材を嵌入した状態を示し、（Ａ）は通常の状態を示す斜視図、（Ｂ）は反転した状態を示す斜視図である。
【図２】第１部材と第２部材を分解した状態を示す斜視図である。
【図３】第１部材を示し、（Ａ）は第１部材とヘラ部材を分解した状態を示す斜視図、（Ｂ）は第１部材を示す横断面図である。
【図４】第２部材を示し、（Ａ）は斜視図、（Ｂ）は横断面図である。
【図５】第１部材を使用することによりベース図柄を形成する方法を説明する斜視図である。
【図６】第１部材に重ねた第２部材を使用することにより詳細図柄を形成する方法を説明する斜視図である。
【符号の説明】
【００３１】
１  第１部材
２  第２部材
３、９  底壁
４、１０  周壁
５、１１  開口
６、１２  フランジ
７  ベース窓孔
８  第１テンプレート
１３  詳細窓孔
１４  第２テンプレート
１５ａ、１５ｂ  位置決め手段
１６  凹凸
１７  ヘラ部材
１９  切欠
２０  指掛け空間
Ｆ  対象食品
Ｇ１、Ｇ２  粉粒食品
Ｂ  ベース図柄
Ｄ  詳細図柄
【図１】
0004757283.tif 000002
【図２】
0004757283.tif 000003
【図３】
0004757283.tif 000004
【図４】
0004757283.tif 000005
【図５】
0004757283.tif 000006
【図６】
0004757283.tif 000007